(57)【要約】【課題】発電部で発電した電力を有効に利用することができる制御を実行することができる電力供給システムを提供する。【解決手段】複数の蓄電池Ｈ４０と、複数の太陽光発電部Ｈ３０と、複数の蓄電池Ｈ４０の充放電を制御可能なＥＭＳ６０（制御部）と、を具備し、ＥＭＳ６０は、当該ＥＭＳ６０の指示に基づいて充放電の制御を行う第一のモードを蓄電池Ｈ４０に設定可能であり、複数の太陽光発電部Ｈ３０による発電量を合計した総発電量と、負荷Ｈ１０が消費する総消費電力量と、を比較した結果に基づいて、第一のモードに設定された蓄電池Ｈ４０の充放電を制御する。【選択図】図１
2019165561.tif 000002
【特許請求の範囲】
【請求項１】
系統電源と負荷との間に互いに直列に接続され、電力を充電可能であると共に、当該充電された電力を放電することで、電力を前記負荷に供給可能な複数の蓄電池と、
前記蓄電池と接続されると共に、前記系統電源と前記負荷との間に発電電力を流通させる複数の発電部と、
前記複数の蓄電池の充放電を制御可能な制御部と、
を具備する電力供給システムであって、
前記制御部は、
当該制御部の指示に基づいて充放電の制御を行う第一のモードを前記蓄電池に設定可能であり、
前記複数の発電部による発電量を合計した総発電量と、前記負荷が消費する消費電力量と、を比較した結果に基づいて、前記第一のモードに設定された蓄電池の充放電を制御する、
電力供給システム。
【請求項２】
前記制御部は、
前記総発電量が、前記消費電力量よりも小さい場合は、前記第一のモードに設定された蓄電池に対して放電指示又は待機指示を行う、
請求項１に記載の電力供給システム。
【請求項３】
前記制御部は、
前記消費電力量と前記総発電量との差と、前記蓄電池の最大放電量と、に基づいて、放電させる前記蓄電池の台数を決定し、
前記放電させる前記蓄電池の台数に基づいて、前記第一のモードに設定された蓄電池のうち放電が可能な蓄電池の中から、放電指示を行う蓄電池を決定し、
前記第一のモードに設定された蓄電池のうち、放電指示を行わない蓄電池に対して待機指示を行う、
請求項２に記載の電力供給システム。
【請求項４】
前記制御部は、
前記第一のモードに設定された蓄電池に対して放電優先順位を設定し、
前記放電優先順位に基づいて、放電指示を行う蓄電池を決定する、
請求項３に記載の電力供給システム。
【請求項５】
前記制御部は、
前記総発電量が、前記消費電力量以上である場合は、前記第一のモードに設定された蓄電池に対して充電指示又は待機指示を行う、
請求項１から請求項４までのいずれか一項に記載の電力供給システム。
【請求項６】
前記制御部は、
前記総発電量と前記消費電力量との差と、前記蓄電池の最大充電量と、に基づいて、充電させる前記蓄電池の台数を決定し、
前記充電させる前記蓄電池の台数に基づいて、前記第一のモードに設定された蓄電池のうち、充電指示を行う蓄電池を決定し、
前記第一のモードに設定された蓄電池のうち、充電指示を行わない蓄電池に対して待機指示を行う、
請求項５に記載の電力供給システム。
【請求項７】
前記制御部は、
前記第一のモードに設定された蓄電池に対して充電優先順位を設定し、
前記充電優先順位に基づいて、充電指示を行う蓄電池を決定する、
請求項６に記載の電力供給システム。
【請求項８】
前記制御部は、
前記系統電源と前記負荷との間を流通する電力に基づいて充放電の制御を行う第二のモードを前記蓄電池に設定可能であり、
前記複数の蓄電池のうち、少なくとも１台の蓄電池に対して前記第二のモードを設定すると共に、残余の蓄電池に対して前記第一のモードを設定する、
請求項１から請求項７までのいずれか一項に記載の電力供給システム。
【請求項９】
前記制御部は、
前記複数の蓄電池のうち最も系統電源側に接続された最上流の蓄電池に対して前記第二のモードを設定する、
請求項８に記載の電力供給システム。
【発明の詳細な説明】
【技術分野】
【０００１】
本発明は、複数の蓄電池及び複数の発電部を備える電力供給システムの技術に関する。
【背景技術】
【０００２】
従来、系統電源と負荷との間に、複数の蓄電池及び複数の発電部を設けた電力供給システムの技術は公知となっている。例えば、特許文献１に記載の如くである。
【０００３】
特許文献１には、商用電源と負荷とを接続する配電線に、蓄電装置及び太陽光発電装置を備える複数のユニットが接続された電力供給システムが記載されている。
【０００４】
上述した特許文献１に記載される電力供給システムは、配電線を流通する電力に基づいて各ユニットから電力を出力させる負荷追従運転が行なわれる。こうして、上記電力供給システムでは、負荷追従運転によって、まず、最も下流側に配置されたユニットから電力を出力させ、当該ユニットからの電力だけでは消費電力を賄えない場合、前記ユニットよりも上流側に配置されたユニットから電力を出力させる運転が行なわれる。
【０００５】
ここで、電力供給システムにおいては、発電部の発電電力を、負荷に供給する（自己消費する）ことが望まれる場合がある。
【０００６】
しかしながら、上述した特許文献１に記載された電力供給システムでは、自己消費を促進し難いことが考えられる。すなわち、上記電力供給システムでは、最も下流側のユニットの太陽光発電装置の発電電力では負荷の消費電力を賄えない場合、当該ユニットよりも上流側のユニットの太陽光発電装置の発電電力に優先して、下流側のユニットの蓄電装置からの放電電力が負荷に供給される。
【０００７】
ここで、上記電力供給システムにおいて、最も下流側のユニットから出力される電力で負荷の消費電力を賄えた場合、上流側のユニットの太陽光発電装置の発電電力は、当該ユニットの蓄電装置に充電される。ここで、上流側のユニットの太陽光発電装置の発電電力が、当該ユニットの蓄電装置に充電可能な電力量に対して余剰した場合、上記余剰分の電力は、商用電源側に逆潮流される。このように、上記電力供給システムでは、負荷に供給可能な太陽光発電装置の発電電力が、負荷でなく商用電源側に逆潮流されることから、自己消費の促進を図り難い。このため、発電部で発電した電力の自己消費の促進を図る制御が実行されることが望ましい。
【先行技術文献】
【特許文献】
【０００８】
【特許文献１】特開２０１７−１６３７４７号公報
【発明の概要】
【発明が解決しようとする課題】
【０００９】
本発明は、以上の如き状況を鑑みてなされたものであり、その解決しようとする課題は、発電部で発電した電力の自己消費の促進を図る制御が可能な電力供給システムを提供するものである。
【課題を解決するための手段】
【００１０】
本発明の解決しようとする課題は以上の如くであり、次にこの課題を解決するための手段を説明する。
【００１１】
即ち、請求項１においては、系統電源と負荷との間に互いに直列に接続され、電力を充電可能であると共に、当該充電された電力を放電することで、電力を前記負荷に供給可能な複数の蓄電池と、前記蓄電池と接続されると共に、前記系統電源と前記負荷との間に発電電力を流通させる複数の発電部と、前記複数の蓄電池の充放電を制御可能な制御部と、を具備する電力供給システムであって、前記制御部は、当該制御部の指示に基づいて充放電の制御を行う第一のモードを前記蓄電池に設定可能であり、前記複数の発電部による発電量を合計した総発電量と、前記負荷が消費する消費電力量と、を比較した結果に基づいて、前記第一のモードに設定された蓄電池の充放電を制御するものである。
【００１２】
請求項２においては、前記制御部は、前記総発電量が、前記消費電力量よりも小さい場合は、前記第一のモードに設定された蓄電池に対して放電指示又は待機指示を行うものである。
【００１３】
請求項３においては、前記制御部は、前記消費電力量と前記総発電量との差と、前記蓄電池の最大放電量と、に基づいて、放電させる前記蓄電池の台数を決定し、前記放電させる前記蓄電池の台数に基づいて、前記第一のモードに設定された蓄電池のうち放電が可能な蓄電池の中から、放電指示を行う蓄電池を決定し、前記第一のモードに設定された蓄電池のうち、放電指示を行わない蓄電池に対して待機指示を行うものである。
【００１４】
請求項４においては、前記制御部は、前記第一のモードに設定された蓄電池に対して放電優先順位を設定し、前記放電優先順位に基づいて、放電指示を行う蓄電池を決定するものである。
【００１５】
請求項５においては、前記制御部は、前記総発電量が、前記消費電力量以上である場合は、前記第一のモードに設定された蓄電池に対して充電指示又は待機指示を行うものである。
【００１６】
請求項６においては、前記制御部は、前記総発電量と前記消費電力量との差と、前記蓄電池の最大充電量と、に基づいて、充電させる前記蓄電池の台数を決定し、前記充電させる前記蓄電池の台数に基づいて、前記第一のモードに設定された蓄電池のうち、充電指示を行う蓄電池を決定し、前記第一のモードに設定された蓄電池のうち、充電指示を行わない蓄電池に対して待機指示を行うものである。
【００１７】
請求項７においては、前記制御部は、前記第一のモードに設定された蓄電池に対して充電優先順位を設定し、前記充電優先順位に基づいて、充電指示を行う蓄電池を決定するものである。
【００１８】
請求項８においては、前記制御部は、前記系統電源と前記負荷との間を流通する電力に基づいて充放電の制御を行う第二のモードを前記蓄電池に設定可能であり、前記複数の蓄電池のうち、少なくとも１台の蓄電池に対して前記第二のモードを設定すると共に、残余の蓄電池に対して前記第一のモードを設定するものである。
【００１９】
請求項９においては、前記制御部は、前記複数の蓄電池のうち最も系統電源側に接続された最上流の蓄電池に対して前記第二のモードを設定するものである。
【発明の効果】
【００２０】
本発明の効果として、以下に示すような効果を奏する。
【００２１】
請求項１においては、発電部で発電した電力の自己消費の促進を図る制御を実行することができる。
【００２２】
請求項２においては、総発電量が消費電力量に対して不足する場合、上記不足した電力量に基づいて蓄電池を制御することができる。
【００２３】
請求項３においては、放電させる蓄電池の台数と、実際に放電が可能な蓄電池の台数と、に基づいて放電指示を行う蓄電池及び待機指示を行う蓄電池を決定することができる。
【００２４】
請求項４においては、各蓄電池における放電量の偏りを抑制することができる。
【００２５】
請求項５においては、総発電量が消費電力量に対して余剰する場合、上記余剰した電力量に基づいて蓄電池を制御することができる。
【００２６】
請求項６においては、充電させる蓄電池の台数と、実際に充電が可能な蓄電池の台数と、に基づいて充電指示を行う蓄電池及び待機指示を行う蓄電池を決定することができる。
【００２７】
請求項７においては、各蓄電池における蓄電残量の偏りを抑制することができる。
【００２８】
請求項８においては、発電量や消費電力量の急激な変化に対応させることができる。
【００２９】
請求項９においては、発電量や消費電力量の急激な変化に対応させる為の電力を最上流の蓄電池に確保することができる。
【図面の簡単な説明】
【００３０】
【図１】本発明の一実施形態に係る電力供給システムの構成を示したブロック図。
【図２】電力の供給態様の一例を示したブロック図。
【図３】蓄電池に対して、第一のモード及び第二のモードを設定した電力供給システムの一例を示したブロック図。
【図４】充放電制御処理を示したフローチャート。
【発明を実施するための形態】
【００３１】
以下では、図１を用いて、本発明の一実施形態に係る電力供給システム１について説明する。
【００３２】
電力供給システム１は、複数の戸建住宅（住宅Ｈ）や各種の施設を有する住宅街区Ｔに適用される。本実施形態において、住宅街区Ｔには、複数の（戸建）住宅Ｈとして、４つの住宅Ｈ（第一住宅Ｈ１、第二住宅Ｈ２、第三住宅Ｈ３及び第四住宅Ｈ４）が設けられる。住宅街区Ｔにおいては、電力小売事業者が電力会社（系統電源Ｓ）から電力を一括購入し、当該購入した電力が各住宅Ｈに適宜供給（売却）される。
【００３３】
電力供給システム１は、電力小売事業者が電力会社から一括購入した電力を、複数の住宅Ｈ（第一住宅Ｈ１、第二住宅Ｈ２、第三住宅Ｈ３及び第四住宅Ｈ４）で適宜供給（融通）するためのシステムである。
【００３４】
電力供給システム１は、系統電源Ｓから各住宅Ｈの負荷Ｈ１０（適宜の電気製品等）へと電力を供給する電力経路Ｌ（系統電源Ｓと各住宅Ｈの負荷Ｈ１０との間）に、複数の蓄電システムＨ２０が接続されている。蓄電システムＨ２０は、複数の住宅Ｈ（第一住宅Ｈ１、第二住宅Ｈ２、第三住宅Ｈ３及び第四住宅Ｈ４）にそれぞれ所有される。電力供給システム１は、電力経路Ｌにおいて、第一住宅Ｈ１の蓄電システムＨ２０、第二住宅Ｈ２の蓄電システムＨ２０、第三住宅Ｈ３の蓄電システムＨ２０、第四住宅Ｈ４の蓄電システムＨ２０が、上流側から下流側へと順番に、互いに直列となるように接続される。
【００３５】
電力供給システム１は、蓄電システムＨ２０を所有する住宅間において、一の住宅で蓄電している電力を、他の住宅に融通可能とされている。本実施形態において、電力供給システム１は、複数の蓄電システムＨ２０及び、ＥＭＳ６０を具備する。
【００３６】
蓄電システムＨ２０は、太陽光を利用して発電された電力を蓄電したり、負荷Ｈ１０へと供給するものである。蓄電システムＨ２０は、太陽光発電部Ｈ３０、蓄電池Ｈ４０及びハイブリッドパワコンＨ５０を具備する。
【００３７】
太陽光発電部Ｈ３０は、太陽光を利用して発電する装置である。太陽光発電部Ｈ３０は、太陽電池パネル等により構成される。太陽光発電部Ｈ３０は、同じ住宅Ｈに同様に設けられた蓄電池Ｈ４０と接続される。太陽光発電部Ｈ３０は、例えば、住宅Ｈの屋根の上等の日当たりの良い場所に設置される。太陽光発電部Ｈ３０の発電電力は、対応する（同じ住宅Ｈに同様に設けられた）蓄電池Ｈ４０に充電することができる。
【００３８】
蓄電池Ｈ４０は、系統電源Ｓからの電力や、太陽光発電部Ｈ３０からの電力（発電電力）を適宜充放電するものである。蓄電池Ｈ４０は、例えば、リチウムイオン電池により構成される。蓄電池Ｈ４０は、後述するハイブリッドパワコンＨ５０等を介して、所定の配電線によって太陽光発電部Ｈ３０と接続される。
【００３９】
蓄電池Ｈ４０は、本実施形態において、その最大放電量が２０００（Ｗ）であるものとする。最大放電量とは、蓄電池Ｈ４０が単位時間当たりに放電可能な最大の電力量を指す。また、蓄電池Ｈ４０は、最大充電量（蓄電池Ｈ４０が単位時間当たりに充電可能な最大の電力量）についても２０００（Ｗ）であるものとする。
【００４０】
また、蓄電池Ｈ４０は、停電時に備えて、蓄電残量が容量に対して所定の値（本実施形態においては、３０％以下）となった場合に、放電可能な状態であっても放電しないように設定される。
【００４１】
蓄電池Ｈ４０は、電力の充放電に関して、複数の態様（モード）を有する。前記複数の態様には、第一のモード（充放電制御モード）と、第二のモード（エコモード）と、が含まれる。第一のモード及び第二のモードは、後述するＥＭＳ６０により設定される（切り替えられる）。
【００４２】
第一のモードが実行された場合、蓄電池Ｈ４０は、後述するＥＭＳ６０から指示された動作を実行可能な状態となる。具体的には、蓄電池Ｈ４０は、放電指示が行われた場合、放電可能な状態となり、負荷Ｈ１０の電力の需要に応じて放電状態又は待機状態となる。また、蓄電池Ｈ４０は、待機指示が行われた場合、充放電を行わない待機状態となる。また、蓄電池Ｈ４０は、充電指示が行われた場合、充電可能な状態となり、自身の蓄電残量や太陽光発電部Ｈ３０の余剰電力量に応じて充電状態又は待機状態となる。
【００４３】
また、第二のモードが実行された場合、蓄電池Ｈ４０は、電力経路Ｌを流通する電力に基づいて負荷追従運転による充放電の制御を行う。本実施形態においては、蓄電池Ｈ４０は、電力経路Ｌを流通する電力を検出する所定のセンサ（不図示）の検出結果に応じて、調整した電力量の充放電を行う。なお、前記所定のセンサは、電力経路Ｌにおいて、上記接続点Ｐを流通する電力を検出可能に構成される。
【００４４】
具体的には、第二のモードが実行された場合、蓄電池Ｈ４０は、負荷Ｈ１０の消費電力量に対して、太陽光発電部Ｈ３０の発電電力だけでは電力が不足する場合に、上記所定のセンサの検出結果に応じた電力を放電する。また、蓄電池Ｈ４０は、上記太陽光発電部Ｈ３０の発電電力のうち余剰した電力（負荷Ｈ１０の消費電力量に対して余剰した電力、以下では単に「余剰電力」という場合もある）があれば、上記余剰電力を充電する。また、余剰電力があって、かつ、当該蓄電池Ｈ４０が満充電の場合には、当該余剰電力は系統電源Ｓへ逆潮流する。
【００４５】
なお、上記第一のモードにおいても、放電指示が行われた場合、蓄電池Ｈ４０は、負荷追従運転を行う。負荷追従運転を行った場合には、蓄電池Ｈ４０は、上記所定のセンサの検出結果に応じて、調整した電力量の放電を行う。
【００４６】
ハイブリッドパワコンＨ５０は、電力を適宜変換するもの（ハイブリッドパワーコンディショナ）である。ハイブリッドパワコンＨ５０は、太陽光発電部Ｈ３０で発電された電力及び蓄電池Ｈ４０から放電された電力を負荷Ｈ１０に出力可能であると共に、太陽光発電部Ｈ３０で発電された電力及び系統電源Ｓからの電力を蓄電池Ｈ４０に出力可能に構成される。また、ハイブリッドパワコンＨ５０は、所定の配電線を介して電力経路Ｌの接続点Ｐと接続される。
【００４７】
ハイブリッドパワコンＨ５０は、蓄電池Ｈ４０の動作を制御可能とされている。また、本実施形態において、後述するＥＭＳ６０による蓄電池Ｈ４０に対する態様の設定（第一のモードや第二のモード等）は、ハイブリッドパワコンＨ５０を介して行われる。
【００４８】
ＥＭＳ６０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ６０は、ＲＡＭやＲＯＭ等の記憶部や、ＣＰＵ等の演算処理部、Ｉ／Ｏ等の入出力部等を具備する。ＥＭＳ６０は、所定の演算処理や記憶処理等を行うことができる。ＥＭＳ６０には、電力供給システム１の動作を制御する際に用いられる種々の情報やプログラム等が、予め記憶される。
【００４９】
具体的には、ＥＭＳ６０は、各住宅ＨのハイブリッドパワコンＨ５０と（有線又は無線を問わず）電気的に接続される。ＥＭＳ６０は、蓄電池Ｈ４０の運転状況（例えば、設定されたモードや、放電しているか否か等）や蓄電残量、放電電力量、充電可能量等の種々の情報を取得することができる。また、ＥＭＳ６０は、ハイブリッドパワコンＨ５０を介して、太陽光発電部Ｈ３０の運転状況や、発電電力量等の種々の情報を取得することができる。なお、ＥＭＳ６０は、ハイブリッドパワコンＨ５０を介してではなく、太陽光発電部Ｈ３０から前記情報を直接取得するようにしてもよい。
【００５０】
また、ＥＭＳ６０は、取得した情報等に基づいて、各住宅Ｈの蓄電池Ｈ４０のモードを決定すると共に、当該決定したモードを蓄電池Ｈ４０に実行させることができる。
【００５１】
ＥＭＳ６０は、第一のモードを蓄電池Ｈ４０に実行させる場合に、取得した情報等に基づいて、放電指示や、充電指示、待機指示を行うことができる。
【００５２】
また、ＥＭＳ６０は、図１においてＡに示す全ての太陽光発電部Ｈ３０の発電量の合計（以下では「総発電量」と称する）と、Ｂに示す全ての負荷Ｈ１０の消費電力量の合計（以下では「総消費電力量」と称する）と、に基づいて、放電指示や充電指示、待機指示を行うことができる。
【００５３】
また、ＥＭＳ６０は、取得した情報等に基づいて、蓄電池Ｈ４０に対して後述する放電優先順位を決定することができる。放電優先順位とは、主として第一のモードが実行される場合に使用されるものであり、当該第一のモードが実行される蓄電池Ｈ４０の中での放電の優先順位である。
【００５４】
放電優先順位の設定においては、第一のモードが実行される蓄電池Ｈ４０のうち、前日の放電量が小さいものほど、優先順位が高いものとして決定することができる。なお、放電優先順位は、前日の放電量に基づいて決定されるものに限られず、種々の情報に基づいて決定可能である。例えば、第一のモードが実行される蓄電池Ｈ４０のうち、積算放電電力量が小さいものほど、優先順位が高いものとして決定してもよい。積算放電電力量とは、所定の期間（例えば、各蓄電池Ｈ４０が設置された時点から前日の２３時まで）の総積算値である。なお、所定の期間は、これに限らず任意の期間とすることができる。また、放電優先順位は、第一のモードが実行される蓄電池Ｈ４０のうち、蓄電残量が多いものほど、優先順位が高いものとして決定してもよい。
【００５５】
また、ＥＭＳ６０は、取得した情報等に基づいて、蓄電池Ｈ４０に対して後述する充電優先順位を決定することができる。充電優先順位とは、主として第一のモードが実行される場合に使用されるものであり、当該第一のモードが実行される蓄電池Ｈ４０の中での充電の優先順位である。
【００５６】
充電優先順位の設定においては、第一のモードが実行される蓄電池Ｈ４０のうち、蓄電残量が少ないものほど、優先順位が高いものとして決定することができる。なお、充電優先順位は、蓄電残量に基づいて決定されるものに限られず、種々の情報に基づいて決定可能である。
【００５７】
以下では、図２を用いて、電力供給システム１における電力の供給態様の一例について説明する。
【００５８】
なお以下では、図２においてＣで示す全ての住宅Ｈ（第一住宅Ｈ１、第二住宅Ｈ２、第三住宅Ｈ３及び第四住宅Ｈ４）の蓄電池Ｈ４０に、ＥＭＳ６０による放電指示や充電指示、待機指示が行われない（第一のモードでなく第二のモードが設定されている）場合について説明する。
【００５９】
各住宅Ｈの負荷Ｈ１０において、電力の需要が発生した場合（例えば、負荷Ｈ１０が電力を消費する場合）には、電力の供給元からの電力が、電力経路Ｌを介して各住宅Ｈの負荷Ｈ１０へ供給される。
【００６０】
各住宅Ｈにおいては、図２に示すように、太陽光発電部Ｈ３０の発電電力が、所定の配電線を介して負荷Ｈ１０に供給される。また、太陽光発電部Ｈ３０の発電電力が負荷Ｈ１０に対して不足する場合には、系統電源Ｓ等からの電力が、電力経路Ｌを介して各住宅Ｈの負荷Ｈ１０に供給される。上記系統電源Ｓ等からの電力が電力経路Ｌを流通すると、当該電力経路Ｌを流通する電力に応じて、各住宅Ｈの蓄電池Ｈ４０が負荷追従運転により放電を行う。こうして、各住宅Ｈの蓄電池Ｈ４０から放電された電力は、所定の配電線を介して各住宅Ｈの負荷Ｈ１０に供給される。これにより、各住宅Ｈの蓄電池Ｈ４０から放電された電力が負荷Ｈ１０に供給されると、系統電源Ｓ等からの電力が減少する。
【００６１】
具体的には、図２では、系統電源Ｓ等から各住宅Ｈの負荷Ｈ１０に供給される電力（負荷Ｈ１０の消費電力量に対して第四住宅Ｈ４の太陽光発電部Ｈ３０の発電電力だけでは不足する電力）に応じて、第四住宅Ｈ４の蓄電池Ｈ４０の発電電力の全てを負荷Ｈ１０に供給させた例を示している。また、図２では、第四住宅Ｈ４の太陽光発電部Ｈ３０及び蓄電池Ｈ４０が出力した電力だけでは不足する電力に応じて、第三住宅Ｈ３の太陽光発電部Ｈ３０の発電電力の一部を負荷Ｈ１０に供給させた例を示している。
【００６２】
また、図２に示すように、太陽光発電部Ｈ３０の発電電力が負荷Ｈ１０に対して余剰する場合は、余剰した電力が住宅Ｈの蓄電池Ｈ４０に充電される。
【００６３】
具体的には、図２では、第三住宅Ｈ３の太陽光発電部Ｈ３０の発電電力のうち、負荷Ｈ１０に対して余剰する電力を、第三住宅Ｈ３の蓄電池Ｈ４０に充電させた例を示している。また、図２では、上記第四住宅Ｈ４及び第三住宅Ｈ３の出力する電力によって負荷Ｈ１０の消費電力量を賄えているので、第二住宅Ｈ２の太陽光発電部Ｈ３０の発電電力を、最大充電量で第二住宅Ｈ２の蓄電池Ｈ４０に充電させた例を示している。
【００６４】
また、前記余剰した電力がそれ以上蓄電池Ｈ４０に充電させることができない場合には、当該余剰した電力は、所定の配電線を介して系統電源Ｓへと逆潮流される。
【００６５】
具体的には、図２では、第二住宅Ｈ２の太陽光発電部Ｈ３０の発電電力のうち、蓄電池Ｈ４０の最大充電量を超えたものを系統電源Ｓへと逆潮流させた例を示している。また、図２では、第一住宅Ｈ１の蓄電池Ｈ４０が満充電であるため、第一住宅Ｈ１の発電電力の全てを系統電源Ｓへと逆潮流させた例を示している。
【００６６】
上述したような電力の供給態様により、電力供給システム１においては、各住宅Ｈの太陽光発電部Ｈ３０及び蓄電池Ｈ４０からの電力を、自分の住宅Ｈの負荷Ｈ１０だけでなく、他の住宅Ｈの負荷Ｈ１０へも供給（融通）することができる。
【００６７】
また、本実施形態においては、系統電源Ｓからの電力を用いて、各住宅Ｈの蓄電池Ｈ４０の充電を行う場合には、各住宅Ｈの住民が電力小売事業者から電力を購入することとなる。こうして、各住宅Ｈの住民は、一般的な価格よりも比較的安価な電力を購入して使用することができる。また、各住宅Ｈの太陽光発電部Ｈ３０の発電電力及び蓄電池Ｈ４０から放電された電力は、各住宅Ｈの住民から電力小売事業者が当該電力を購入することとなる。また、各住宅Ｈの太陽光発電部Ｈ３０の発電電力であって余剰した電力（すなわち、逆潮流した電力）は、電力会社が電力小売事業者から購入することとなる。
【００６８】
ここで、上述したように、第一住宅Ｈ１の蓄電システムＨ２０、第二住宅Ｈ２の蓄電システムＨ２０、第三住宅Ｈ３の蓄電システムＨ２０、第四住宅Ｈ４の蓄電システムＨ２０は、上流側から下流側へと順番に、互いに直列となるように接続される。
【００６９】
したがって、全ての蓄電池が負荷追従運転により放電を行う場合には、最も下流側に接続された第四住宅Ｈ４の蓄電池Ｈ４０が最も放電し易く構成される。また、当該第四住宅Ｈ４の蓄電池Ｈ４０の上流側に接続された第三住宅Ｈ３の蓄電池Ｈ４０が、その次に放電し易く構成される。また、当該第三住宅Ｈ３の蓄電池Ｈ４０の上流側に接続された第二住宅Ｈ２の蓄電池Ｈ４０が、その次に放電し易く構成される。また、当該第二住宅Ｈ２の蓄電池Ｈ４０の上流側に接続された第一住宅Ｈ１の蓄電池Ｈ４０が、その次に放電し易く（すなわち、最も放電し難く）構成される。
【００７０】
なお、各蓄電池の放電し易さ（し難さ）が互いに異なる場合、各蓄電池における放電量に偏りが発生し易い。このように、各蓄電池における放電量に偏りが発生すると、各蓄電池における劣化度合いが異なったり、電力小売業者への売電量が異なることとなり、望ましくない。
【００７１】
また、電力供給システム１においては、太陽光発電部Ｈ３０の発電電力を、負荷Ｈ１０に供給する（自己消費する）ことが望まれる場合がある。なお、上記自己消費において「負荷Ｈ１０に供給する」とは、太陽光発電部Ｈ３０の発電電力を直接的に負荷Ｈ１０に供給することだけでなく、蓄電池Ｈ４０に充電された発電電力放電することにより間接的に負荷Ｈ１０に供給することが含まれる。
【００７２】
この場合、負荷Ｈ１０の消費電力量に対して、優先的に太陽光発電部Ｈ３０の発電電力を用いることが望ましい。また、発電電力について、系統電源Ｓへと逆潮流させることに優先して、蓄電池Ｈ４０に充電させることが望ましい。換言すれば、自己消費することができる電力を、系統電源Ｓへと逆潮流させるようなことは望ましくない。
【００７３】
しかしながら、図２で示すように、全ての住宅Ｈの蓄電池Ｈ４０について第二のモードを設定した場合、上述の通り負荷追従運転がなされることから、太陽光発電部Ｈ３０の発電電力の自己消費の促進を図り難い。すなわち、全ての住宅Ｈの蓄電池Ｈ４０について第二のモードが設定した場合においては、上述したように、最も下流側に接続された第四住宅Ｈ４の太陽光発電部Ｈ３０の発電電力が負荷Ｈ１０に対して不足する場合には、上記第四住宅Ｈ４よりも上流側に接続された住宅Ｈの太陽光発電部Ｈ３０の発電電力に優先して、第四住宅Ｈ４の蓄電池Ｈ４０の放電による電力が負荷Ｈ１０へ供給される。
【００７４】
上記のような場合において、図２で示すように、上記第四住宅Ｈ４及び第三住宅Ｈ３の出力する電力によって負荷Ｈ１０の消費電力量を賄えている場合、第二住宅Ｈ２及び第一住宅Ｈ１の太陽光発電部Ｈ３０の発電電力は、負荷Ｈ１０に対して余剰するので、それぞれの蓄電池Ｈ４０に充電される。ここで、上記発電電力が蓄電池Ｈ４０の最大充電量を超えた場合や、蓄電池Ｈ４０が満充電である場合、余剰する発電電力は、系統電源Ｓへと逆潮流される。このことから、上述した例においては、太陽光発電部Ｈ３０の発電電力の自己消費の促進を図り難いこととなり、望ましくない。
【００７５】
そこで、電力供給システム１においては、上述したような偏りの発生を防止し、また、太陽光発電部Ｈ３０の発電電力の自己消費の促進を実現すべく、各住宅Ｈの蓄電池Ｈ４０に、第一のモードを設定すると共に、特定の処理（以下では「充放電制御処理」と称する）を実行することができる。以下では、充放電制御処理について説明する。
【００７６】
充放電制御処理においては、全ての太陽光発電部Ｈ３０の発電電力を可能な限り負荷Ｈ１０に対して供給すると共に、総発電量と消費電力量とを比較した結果に基づいて、第一のモードに設定された蓄電池Ｈ４０の充放電を制御する。
【００７７】
図３は、充放電制御処理が実行される電力供給システム１の一例を示したものである。当該図３に示す例では、Ｄで示す住宅Ｈ（第二住宅Ｈ２、第三住宅Ｈ３、第四住宅Ｈ４）の蓄電池Ｈ４０に第一のモードを設定し、Ｅで示す住宅Ｈ（第一住宅Ｈ１）の蓄電池Ｈ４０に第二のモードを設定している。
【００７８】
以下では、図４のフローチャートを用いて、ＥＭＳ６０により実行される充放電制御処理について説明する。
【００７９】
ステップＳ１０において、ＥＭＳ６０は、総消費電力量が総発電量よりも大きいか否かを判定する。ＥＭＳ６０は、総消費電力量が、総発電量よりも大きいと判断した場合（ステップＳ１０：ＹＥＳ）には、ステップＳ１１の処理へ移行する。一方、ＥＭＳ６０は、総消費電力量が、総発電量以下であると判断した場合（ステップＳ１０：ＮＯ）には、ステップＳ１８の処理へ移行する。
【００８０】
ステップＳ１１において、ＥＭＳ６０は、総発電量だけでは総消費電力量に対して不足する場合に、各住宅Ｈの蓄電池Ｈ４０に要求される放電量（以下では、「放電要求量」と称する）を算出する。放電要求量は、総消費電力量から総発電量を減算して求められる。ＥＭＳ６０は、次にステップＳ１２の処理へ移行する。
【００８１】
ステップＳ１２において、ＥＭＳ６０は、第一のモードが設定された蓄電池Ｈ４０のうち、放電要求量に応じて放電させる蓄電池Ｈ４０の台数（以下では、「放電要求台数」と称する）を算出する。放電要求台数は、放電要求量を、蓄電池Ｈ４０の最大放電量で除算して求められる。ＥＭＳ６０は、次にステップＳ１３の処理へ移行する。
【００８２】
ここで、放電要求台数は、放電要求量を蓄電池Ｈ４０の最大放電量で除算した結果が小数を含む場合、小数点以下を切り上げ又は切り捨てて算出することが可能である。小数点以下を切り上げて算出する場合、放電要求台数における蓄電池Ｈ４０が放電する電力の合計は、放電要求量よりも大きくなる。上記台数の蓄電池Ｈ４０を放電させた場合には、系統電源Ｓまたは第二のモードが設定された第一住宅Ｈ１の蓄電池Ｈ４０からの電力の供給を抑制することができる。
【００８３】
また、小数点以下を切り捨てて算出する場合、放電要求台数における蓄電池Ｈ４０が放電する電力の合計は、放電要求量よりも小さくなる。上記台数の蓄電池Ｈ４０を放電させた場合には、当該蓄電池Ｈ４０の放電電力だけでは放電要求量に対して不足することから、系統電源Ｓまたは第二のモードが設定された第一住宅Ｈ１の蓄電池Ｈ４０からの電力の供給が必要となるが、このような電力の供給を最小限とすることができる。ＥＭＳ６０は、放電要求台数を算出した後、次にステップＳ１３の処理へ移行する。
【００８４】
ステップＳ１３において、ＥＭＳ６０は、第一のモードが設定された蓄電池Ｈ４０のうち、放電が可能な蓄電池Ｈ４０の台数（以下では、「放電可能台数」と称する）を算出する。放電可能台数は、第一のモードが設定された蓄電池Ｈ４０のうち、蓄電残量が容量に対して所定の値以上（本実施形態においては、３０％以上）である蓄電池Ｈ４０の合計により求められる。ＥＭＳ６０は、次にステップＳ１４の処理へ移行する。
【００８５】
ステップＳ１４において、ＥＭＳ６０は、放電可能台数が、放電要求台数以上であるか否かを判定する。ＥＭＳ６０は、放電可能台数が、放電要求台数以上であると判断した場合（ステップＳ１４：ＹＥＳ）には、ステップＳ１５の処理へ移行する。一方、ＥＭＳ６０は、放電可能台数が、放電要求台数より少ないと判断した場合（ステップＳ１４：ＮＯ）には、ステップＳ１６の処理へ移行する。
【００８６】
ステップＳ１５において、ＥＭＳ６０は、第一のモードが設定された蓄電池Ｈ４０のうち、放電指示を行う蓄電池Ｈ４０の台数（以下では、「放電指示台数」と称する）を算出する。ステップＳ１５においては、放電要求台数を放電指示台数とする。ＥＭＳ６０は、次にステップＳ１７の処理へ移行する。
【００８７】
ステップＳ１６において、ＥＭＳ６０は、放電指示台数を算出する。ステップＳ１６においては、放電可能台数を放電指示台数とする。ＥＭＳ６０は、次にステップＳ１７の処理へ移行する。
【００８８】
ステップＳ１７において、ＥＭＳ６０は、放電優先順位が高いものから順番に、放電指示台数分の蓄電池Ｈ４０に対して放電指示を行う。また、ＥＭＳ６０は、第一のモードが設定された蓄電池Ｈ４０のうち、放電指示を行わない蓄電池Ｈ４０について、待機指示を行う。ＥＭＳ６０は、ステップＳ１７の処理の後、充放電制御処理を一旦終了する。
【００８９】
上述の如くステップＳ１０において、総消費電力量が、総発電量以下であると判定された場合（ステップＳ１０：ＮＯ）に移行するステップＳ１８においては、総発電量のうち、総消費電力量に対して余剰する電力量（以下では、「総余剰電力量」と称する）を算出する。総余剰電力量は、総発電量から総消費電力量を減算して求められる。ＥＭＳ６０は、次にステップＳ１９の処理へ移行する。
【００９０】
ステップＳ１９において、ＥＭＳ６０は、第一のモードが設定された蓄電池Ｈ４０のうち、総余剰電力量に応じて充電させる蓄電池Ｈ４０の台数（以下では、「充電要求台数」と称する）を算出する。充電要求台数は、総余剰電力量を、蓄電池Ｈ４０の最大充電量で除算して求められる。
【００９１】
ここで、充電要求台数は、総余剰電力量を蓄電池Ｈ４０の最大充電量で除算した結果が小数を含む場合、小数点以下を切り上げ又は切り捨てて算出することが可能である。小数点以下を切り捨てて算出する場合、総余剰電力量は、充電要求台数における蓄電池Ｈ４０に充電される電力の合計よりも大きくなる。上記台数の蓄電池Ｈ４０を充電させた場合には、系統電源Ｓまたは第二のモードが設定された第一住宅Ｈ１の蓄電池Ｈ４０からの電力の供給を抑制することができる。
【００９２】
小数点以下を切り上げて算出する場合、総余剰電力量は、充電要求台数における蓄電池Ｈ４０に充電される電力の合計よりも小さくなる。上記台数の蓄電池Ｈ４０を充電させた場合には、総余剰電力量だけでは、当該蓄電池Ｈ４０に充電させる電力に対して不足することから、系統電源Ｓまたは第二のモードが設定された第一住宅Ｈ１の蓄電池Ｈ４０からの電力の供給が必要となるが、このような電力の供給を最小限とすることができる。ＥＭＳ６０は、充電要求台数を算出した後、次にステップＳ２０の処理へ移行する。
【００９３】
ステップＳ２０において、ＥＭＳ６０は、第一のモードが設定された蓄電池Ｈ４０のうち、充電が可能な蓄電池Ｈ４０の台数（以下では、「充電可能台数」と称する）を算出する。充電可能台数は、第一のモードが設定された蓄電池Ｈ４０のうち、蓄電残量が容量に対して所定の値未満（本実施形態においては、１００％未満）である蓄電池Ｈ４０の合計により求められる。ＥＭＳ６０は、次にステップＳ２１の処理へ移行する。
【００９４】
ステップＳ２１において、ＥＭＳ６０は、充電可能台数が、充電要求台数以上であるか否かを判定する。ＥＭＳ６０は、充電可能台数が、充電要求台数以上であると判断した場合（ステップＳ２１：ＹＥＳ）には、ステップＳ２２の処理へ移行する。一方、ＥＭＳ６０は、充電可能台数が、充電要求台数より少ないと判断した場合（ステップＳ２１：ＮＯ）には、ステップＳ２３の処理へ移行する。
【００９５】
ステップＳ２２において、ＥＭＳ６０は、第一のモードが設定された蓄電池Ｈ４０のうち、充電指示を行う蓄電池Ｈ４０の台数（以下では、「充電指示台数」と称する）を算出する。ステップＳ２２においては、充電要求台数を充電指示台数とする。ＥＭＳ６０は、次にステップＳ２４の処理へ移行する。
【００９６】
ステップＳ２３において、ＥＭＳ６０は、充電指示台数を算出する。ステップＳ２２においては、充電可能台数を充電指示台数とする。ＥＭＳ６０は、次にステップＳ２４の処理へ移行する。
【００９７】
ステップＳ２４において、ＥＭＳ６０は、充電優先順位が高いものから順番に、充電指示台数分の蓄電池Ｈ４０に対して充電指示を行う。また、ＥＭＳ６０は、第一のモードが設定された蓄電池Ｈ４０のうち、充電指示を行わない蓄電池Ｈ４０について、待機指示を行う。ＥＭＳ６０は、ステップＳ２４の処理の後、充放電制御処理を一旦終了する。
【００９８】
本実施形態において、充放電制御処理は、所定時間毎（例えば１分毎）に、ＥＭＳ６０により繰り返し実行される。
【００９９】
このような処理を実行することにより、上述したように、総発電量だけでは総消費電力量に対して不足する場合には、上記不足分の電力を賄うべく、放電指示が行われた蓄電池Ｈ４０を放電させることができる。また、総消費電力量に対して総発電量が余剰する場合には、上記余剰分の電力を充電指示が行われた蓄電池Ｈ４０に充電させることができる。これにより、太陽光発電部Ｈ３０の発電電力（総発電量）を負荷Ｈ１０に供給することで自己消費の促進を図ることができ、ひいては電力供給システム１における電力の自給率の向上を図ることができる。
【０１００】
また、放電要求量に対して、放電優先順位の高い蓄電池Ｈ４０から放電指示を行うことで、各住宅Ｈの蓄電池Ｈ４０の放電量の偏りを抑制することができる。すなわち、本実施形態のように、蓄電池Ｈ４０について、前日の放電量が小さいものほど、優先順位が高いものとして決定することで、蓄電池Ｈ４０の放電量の均等化を図ることができる。
【０１０１】
また、充電要求量に対して、充電優先順位の高い蓄電池Ｈ４０から充電指示を行うことで、各住宅Ｈの蓄電池Ｈ４０の蓄電残量の偏りを抑制することができる。すなわち、本実施形態のように、蓄電池Ｈ４０について、蓄電残量が少ないものほど、優先順位が高いものとして決定することで、蓄電池Ｈ４０の蓄電残量の均等化を図ることができる。
【０１０２】
また、本実施形態においては、最も上流側に接続された第一住宅Ｈ１の蓄電池Ｈ４０については、第一のモードではなく、第二のモードが設定される。すなわち、第一住宅Ｈ１の蓄電池Ｈ４０は、ＥＭＳ６０による放電指示や充電指示、待機指示がされず、電力経路Ｌを流通する電力に応じて、負荷追従運転により放電を行うこととなる。
【０１０３】
これにより、第一住宅Ｈ１の蓄電池Ｈ４０が、総消費電力量や総発電量の急激な変化に対応し、系統電源Ｓからの買電を抑制することができる。すなわち、例えば、上述したようなＥＭＳ６０による充放電制御処理の制御の間隔によっては、総消費電力量や総発電量の急な変化に対応できず、総発電量及び放電指示が行われた蓄電池Ｈ４０の放電量では、総消費電力量を賄えないことから、系統電源Ｓからの買電が発生するおそれがある。
【０１０４】
しかし、第一住宅Ｈ１の蓄電池Ｈ４０について、電力経路Ｌを流通する電力に応じて負荷追従運転を実行させることで、上記総発電量及び放電指示が行われた蓄電池Ｈ４０の放電量では賄えない分の電力を、迅速に放電することができる。これにより、系統電源Ｓからの買電を抑制することができる。
【０１０５】
また、本実施形態では、負荷追従運転による放電が最もし難い、最も上流側に接続された第一住宅Ｈ１の蓄電池Ｈ４０について第二のモードが設定しているので、上述のような場合に放電する電力を確保することができる。
【０１０６】
以上のように、本発明の一実施形態に係る電力供給システム１は、
系統電源Ｓと負荷Ｈ１０との間に互いに直列に接続され、電力を充電可能であると共に、当該充電された電力を放電することで、電力を前記負荷に供給可能な複数の蓄電池Ｈ４０と、
前記蓄電池Ｈ４０と接続されると共に、前記系統電源Ｓと前記負荷Ｈ１０との間に発電電力を流通させる複数の太陽光発電部Ｈ３０（発電部）と、
前記複数の蓄電池Ｈ４０の充放電を制御可能なＥＭＳ６０（制御部）と、
を具備する電力供給システム１であって、
前記ＥＭＳ６０（制御部）は、
当該ＥＭＳ６０（制御部）の指示に基づいて充放電の制御を行う第一のモードを前記蓄電池Ｈ４０に設定可能であり、
前記複数の太陽光発電部Ｈ３０（発電部）による発電量を合計した総発電量と、前記負荷が消費する総消費電力量（消費電力量）と、を比較した結果に基づいて、前記第一のモードに設定された蓄電池Ｈ４０の充放電を制御するものである。
【０１０７】
このような構成により、例えば、総発電量だけでは総消費電力量に対して不足する場合には、上記不足分の電力を賄うべく、放電指示が行われた蓄電池Ｈ４０を放電させることができる。また、例えば、総消費電力量に対して総発電量が余剰する場合には、上記余剰分の電力を充電指示が行われた蓄電池Ｈ４０に充電させることができる。これにより、太陽光発電部Ｈ３０の発電電力（総発電量）を負荷Ｈ１０に供給することで自己消費の促進を図ることができ、ひいては電力供給システム１における電力の自給率の向上を図ることができる。
【０１０８】
また、電力供給システム１において、
前記ＥＭＳ６０（制御部）は、
前記総発電量が、前記総消費電力量（消費電力量）よりも小さい場合は、前記第一のモードに設定された蓄電池Ｈ４０に対して放電指示又は待機指示を行うものである。
【０１０９】
このような構成により、総発電量が総消費電力量に対して不足する場合、上記不足した電力量に基づいて蓄電池Ｈ４０を制御することができる。
【０１１０】
また、電力供給システム１において、
前記ＥＭＳ６０（制御部）は、
前記総消費電力量（消費電力量）と前記総発電量との差と、前記蓄電池Ｈ４０の最大放電量と、に基づいて、放電させる前記蓄電池Ｈ４０の台数を決定し、
前記放電させる前記蓄電池Ｈ４０の台数に基づいて、前記第一のモードに設定された蓄電池Ｈ４０のうち放電が可能な蓄電池Ｈ４０の中から、放電指示を行う蓄電池Ｈ４０を決定し、
前記第一のモードに設定された蓄電池Ｈ４０のうち、放電指示を行わない蓄電池Ｈ４０に対して待機指示を行うものである。
【０１１１】
このような構成により、放電要求量に応じて決定された、放電させる蓄電池Ｈ４０の台数（放電要求台数）と、実際に放電が可能な蓄電池Ｈ４０の台数（放電可能台数）と、に基づいて放電指示を行う蓄電池Ｈ４０及び待機指示を行う蓄電池Ｈ４０を決定することができる。
【０１１２】
また、電力供給システム１において、
前記ＥＭＳ６０（制御部）は、
前記第一のモードに設定された蓄電池Ｈ４０に対して放電優先順位を設定し、
前記放電優先順位に基づいて、放電指示を行う蓄電池Ｈ４０を決定するものである。
【０１１３】
このような構成により、各蓄電池Ｈ４０における放電量の偏りを抑制することができる。
【０１１４】
また、電力供給システム１において、
前記ＥＭＳ６０（制御部）は、
前記総発電量が、前記総消費電力量（消費電力量）以上である場合は、前記第一のモードに設定された蓄電池Ｈ４０に対して充電指示又は待機指示を行うものである。
【０１１５】
このような構成により、総発電量が総消費電力量に対して余剰する場合、上記余剰した電力量に基づいて蓄電池Ｈ４０を制御することができる。
【０１１６】
また、電力供給システム１において、
前記ＥＭＳ６０（制御部）は、
前記総発電量と前記総消費電力量（消費電力量）との差と、前記蓄電池の最大充電量と、に基づいて、充電させる前記蓄電池Ｈ４０の台数を決定し、
前記充電させる前記蓄電池Ｈ４０の台数に基づいて、前記第一のモードに設定された蓄電池Ｈ４０のうち、充電指示を行う蓄電池Ｈ４０を決定し、
前記第一のモードに設定された蓄電池Ｈ４０のうち、充電指示を行わない蓄電池Ｈ４０に対して待機指示を行うものである。
【０１１７】
このような構成により、総余剰電力量に応じて決定された、充電させる蓄電池Ｈ４０の台数（充電要求台数）と、実際に充電が可能な蓄電池Ｈ４０の台数（充電可能台数）と、に基づいて充電指示を行う蓄電池Ｈ４０及び待機指示を行う蓄電池Ｈ４０を決定することができる。
【０１１８】
また、電力供給システム１において、
前記ＥＭＳ６０（制御部）は、
前記第一のモードに設定された蓄電池Ｈ４０に対して充電優先順位を設定し、
前記充電優先順位に基づいて、充電指示を行う蓄電池Ｈ４０を決定するものである。
【０１１９】
このような構成により、各蓄電池における蓄電残量の偏りを抑制することができる。
【０１２０】
また、電力供給システム１において、
前記ＥＭＳ６０（制御部）は、
前記系統電源Ｓと前記負荷Ｈ１０との間を流通する電力に基づいて充放電の制御を行う第二のモードを前記蓄電池Ｈ４０に設定可能であり、
前記複数の蓄電池Ｈ４０のうち、少なくとも１台の蓄電池Ｈ４０に対して前記第二のモードを設定すると共に、残余の蓄電池Ｈ４０に対して前記第一のモードを設定するものである。
【０１２１】
このような構成により、総発電量や総消費電力量の急激な変化に対応させることができる。すなわち、総発電量や総消費電力量の急激な変化により、総消費電力量に対して総発電量及び放電指示が行われた蓄電池Ｈ４０の放電量だけでは不足する場合、第二のモードが設定された蓄電池Ｈ４０によって上記不足分の電力を、迅速に放電することができる。これにより、系統電源Ｓからの買電を抑制することができる。
【０１２２】
また、電力供給システム１において、
前記ＥＭＳ６０（制御部）は、
前記複数の蓄電池Ｈ４０のうち最も系統電源Ｓ側に接続された最上流の蓄電池Ｈ４０に対して前記第二のモードを設定するものである。
【０１２３】
このような構成により、総発電量や総消費電力量の急激な変化に対応させる為の電力を最上流の蓄電池Ｈ４０に確保することができる。
【０１２４】
なお、本実施形態に係る太陽光発電部Ｈ３０は、発電部の実施の一形態である。
また、本実施形態に係るＥＭＳ６０は、制御部の実施の一形態である。
【０１２５】
以上、本発明の実施形態を説明したが、本発明は上記構成に限定されるものではなく、特許請求の範囲に記載された発明の範囲内で種々の変更が可能である。
【０１２６】
例えば、本実施形態においては、電力小売事業者が電力会社から一括購入した電力を、複数の住宅Ｈ間で適宜供給（融通）するとしたが、電力小売事業者が電力会社から一括購入するものでなくともよい。
【０１２７】
また、ＥＭＳ６０は、例えば図示せぬホームサーバや、蓄電池の制御部、（電力供給システム１の適用対象が住宅である場合に）住宅に設けられたＨＥＭＳ等により構成されてもよい。
【０１２８】
また、発電部は、自然エネルギーとして太陽光を利用するものとしたが、水力、風力、潮力等を利用してもよく、また自然エネルギーを利用しないものであってもよい。
【０１２９】
また、本実施形態においては、充放電制御処理を実行する場合、３台の蓄電池Ｈ４０に第一のモードを設定しているが、このような態様に限られず、適宜の台数に第一のモードを設定してもよい。また、全ての住宅Ｈの蓄電池Ｈ４０に対して第一のモードを設定してもよい。
【０１３０】
また、本実施形態においては、充放電制御処理を実行する場合、住宅街区Ｔ内における住宅Ｈ（第一住宅Ｈ１）に設置された最上流の蓄電池Ｈ４０に第二のモードを設定した例を示したが、上記第二のモードが設定される蓄電池Ｈ４０（最上流の蓄電池Ｈ４０）は、住宅Ｈに設置されるものに限られない。例えば、住宅街区Ｔ内における集会所等の共用施設に最上流の蓄電池Ｈ４０を設置してもよい。
【０１３１】
また、本実施形態においては、充放電制御処理を実行する場合、第二のモードが設定される蓄電池Ｈ４０を１台としているが、第二のモードが設定される蓄電池Ｈ４０は１台に限られず、複数の蓄電池Ｈ４０を第二のモードに設定してもよい。この場合は、複数の蓄電池Ｈ４０のうち、上流側に配置されるものから順番に、適宜の台数の蓄電池Ｈ４０を第二のモードに設定してもよい。
【符号の説明】
【０１３２】
１      電力供給システム
６０    ＥＭＳ
Ｈ１０  負荷
Ｈ３０  太陽光発電部
Ｈ４０  蓄電池
Ｓ      系統電源
【図１】
2019165561.tif 000003
【図２】
2019165561.tif 000004
【図３】
2019165561.tif 000005
【図４】
2019165561.tif 000006